(57)【要約】【課題】生体の体表面より奥の深部における温度が測定できるようにする。【解決手段】温度測定部１０１は、温度Ｔからなる未知パラメータを有する体表面より目的の深さの深部に対し、各々波長が異なる赤外域の波長λ１の第１光および赤外域の波長λ２の第２光を照射してＯＰＢＳ法により測定結果を得る。第１光および第２光は、目的とする体表面からの深さで同じ水の光吸収係数となり、予め求められている赤外域の光の波長と体表面からの深さに依存する水の光吸収係数との関係より決定される。温度導出部１０２は、予め測定されている血液の第１成分の濃度Ｃ１，血液の第２成分の濃度Ｃ２，および温度測定部の測定結果から、体表面より奥の設定された深部における温度を決定する。【選択図】  図１
2014183894.tif 000002
【特許請求の範囲】
【請求項１】
予め求められている赤外域の光の波長と体表面からの深さに依存する水の光吸収係数との関係より、目的とする体表面からの深さで同じ水の光吸収係数となり、各々波長が異なる赤外域の波長λ１の第１光および赤外域の波長λ２の第２光を決定する波長決定ステップと、
温度Ｔからなる未知パラメータを有する体表面より目的の深さの深部に対して前記第１光および前記第２光を照射して光パワーバランスシフト（ＯＰＢＳ）法により測定結果を得る温度測定ステップと、
予め測定されている血液の第１成分の濃度Ｃ１，血液の第２成分の濃度Ｃ２，および前記温度測定ステップの測定結果から、体表面より奥の設定された深部における温度を決定する温度導出ステップと
を備え、
前記温度導出ステップでは、
前記温度測定ステップの測定結果をＯＰＢＳ（λ１，λ２）としたとき、
前記温度測定ステップの測定結果を表現する式
ＯＰＢＳ（λ１，λ２）＝Ｑ１Ｃ１＋Ｑ２Ｃ２＋ＱｔＴ
により体表面より目的の深さの温度である温度Ｔを決定する
ことを特徴とする温度測定方法。
【請求項２】
請求項１記載の温度測定方法において、
前記波長決定ステップでは、目的とする体表面からの深さで同じ水の光吸収係数となる波長の光の中で、温度依存性が最も高い前記第１光および前記第２光の組み合わせを決定することを特徴とする温度測定方法。
【請求項３】
請求項１〜３のいずれか１項に記載の温度測定方法において、
前記第１成分は、アルブミンであり、前記第２成分は、グルコースであることを特徴とする温度測定方法。
【請求項４】
温度Ｔからなる未知パラメータを有する体表面より目的の深さの深部に対し、各々波長が異なる赤外域の波長λ１の第１光および赤外域の波長λ２の第２光を照射して光パワーバランスシフト（ＯＰＢＳ）法により測定結果を得る温度測定部と、
予め測定されている血液の第１成分の濃度Ｃ１，血液の第２成分の濃度Ｃ２，および前記温度測定部の測定結果から、体表面より奥の設定された深部における温度を決定する温度導出部と
を備え、
前記温度導出部は、
前記温度測定部による測定結果をＯＰＢＳ（λ１，λ２）としたとき、
前記温度測定部の測定結果を表現する式
ＯＰＢＳ（λ１，λ２）＝Ｑ１Ｃ１＋Ｑ２Ｃ２＋ＱｔＴ
において体表面より目的の深さの温度である温度Ｔを決定し、
前記第１光および前記第２光は、目的とする体表面からの深さで同じ水の光吸収係数となり、予め求められている赤外域の光の波長と体表面からの深さに依存する水の光吸収係数との関係より決定されたものである
ことを特徴とする温度測定装置。
【請求項５】
請求項４記載の温度測定装置において、
前記第１光および前記第２光は、目的とする体表面からの深さで同じ水の光吸収係数となる波長の光の中で温度依存性が最も高い組み合わせであることを特徴とする温度測定装置。
【請求項６】
請求項４または５記載の温度測定装置において、
前記第１成分は、アルブミンであり、前記第２成分は、グルコースであることを特徴とする温度測定装置。
【発明の詳細な説明】
【技術分野】
【０００１】
本発明は、生体の体表面より奥の深部における温度（体温）を測定する温度測定方法および装置に関する。
【背景技術】
【０００２】
例えば、乳癌は、４０歳後半の女性に発症する確率が高い疾病であり、治療においては、早期の発見が重要となる。このような癌の発見においては、一般に、問診・触診、エコー検査、マンモグラフィー検査などが行われている。また、近年では、腫瘍（しこり）となる前段階で、細胞の温度上昇段階で発見する技術が提案されている。従って、体温の分布を測定することで、乳癌などの早期発見が可能となる。
【先行技術文献】
【特許文献】
【０００３】
【特許文献１】特開２０１２−１７９２１２号公報
【特許文献２】特開２０１２−０２６８５２号公報
【発明の概要】
【発明が解決しようとする課題】
【０００４】
しかしながら、生体の体表面より奥の深部に発生する癌の早期発見には、生体の体表面より奥の深部における温度を測定する必要があるが、この測定が容易に行えないという問題がある。現在では、生体の体表面における温度の測定は容易に行えるが、生体の体表面より奥の深部における温度を測定することは容易ではないという問題がある。
【０００５】
本発明は、以上のような問題点を解消するためになされたものであり、生体の体表面より奥の深部における温度が測定できるようにすることを目的とする。
【課題を解決するための手段】
【０００６】
本発明に係る温度測定方法は、予め求められている赤外域の光の波長と体表面からの深さに依存する水の光吸収係数との関係より、目的とする体表面からの深さで同じ水の光吸収係数となり、各々波長が異なる赤外域の波長λ１の第１光および赤外域の波長λ２の第２光を決定する波長決定ステップと、温度Ｔからなる未知パラメータを有する体表面より目的の深さの深部に対して第１光および第２光を照射して光パワーバランスシフト（ＯＰＢＳ）法により測定結果を得る温度測定ステップと、予め測定されている血液の第１成分の濃度Ｃ１，血液の第２成分の濃度Ｃ２，および温度測定ステップの測定結果から、体表面より奥の設定された深部における温度を決定する温度導出ステップとを備え、温度導出ステップでは、温度測定ステップの測定結果をＯＰＢＳ（λ１，λ２）としたとき、温度測定ステップの測定結果を表現する式ＯＰＢＳ（λ１，λ２）＝Ｑ１Ｃ１＋Ｑ２Ｃ２＋ＱｔＴにより体表面より目的の深さの温度である温度Ｔを決定する。
【０００７】
上記温度測定方法において、波長決定ステップでは、目的とする体表面からの深さで同じ水の光吸収係数となる波長の光の中で、温度依存性が最も高い第１光および第２光の組み合わせを決定すればよい。なお、第１成分は、アルブミンであり、第２成分は、グルコースであればよい。
【０００８】
また、本発明に係る温度測定装置は、温度Ｔからなる未知パラメータを有する体表面より目的の深さの深部に対し、各々波長が異なる赤外域の波長λ１の第１光および赤外域の波長λ２の第２光を照射して光パワーバランスシフト（ＯＰＢＳ）法により測定結果を得る温度測定部と、予め測定されている血液の第１成分の濃度Ｃ１，血液の第２成分の濃度Ｃ２，および温度測定部の測定結果から、体表面より奥の設定された深部における温度を決定する温度導出部とを備え、温度導出部は、温度測定部による測定結果をＯＰＢＳ（λ１，λ２）としたとき、温度測定部の測定結果を表現する式ＯＰＢＳ（λ１，λ２）＝Ｑ１Ｃ１＋Ｑ２Ｃ２＋ＱｔＴにおいて体表面より目的の深さの温度である温度Ｔを決定し、第１光および第２光は、目的とする体表面からの深さで同じ水の光吸収係数となり、予め求められている赤外域の光の波長と体表面からの深さに依存する水の光吸収係数との関係より決定されたものである。
【０００９】
上記温度測定装置において、第１光および第２光は、目的とする体表面からの深さで同じ水の光吸収係数となる波長の光の中で温度依存性が最も高い組み合わせとすればよい。なお、第１成分は、アルブミンであり、第２成分は、グルコースであればよい。
【発明の効果】
【００１０】
以上説明したことにより、本発明によれば、生体の体表面より奥の深部における温度が測定できるようになるという優れた効果が得られる。
【図面の簡単な説明】
【００１１】
【図１】図１は、本発明の実施の形態における温度測定装置の構成を示す構成図である。
【図２】図２は、本発明の実施の形態における温度測定方法を説明するフローチャートである。
【図３】図３は、照射する赤外光の波長により光吸収が大きく変化する状態を説明するための説明図である。
【図４】図４は、照射する赤外光の波長により光吸収が大きく変化する状態を説明するための説明図である。
【図５】図５は、光吸収係数が同じになるレーザ光の波長と当該レーザ光が体表面より体内に入り込む深さとの関係を示す特性図である。
【図６】図６は、本発明の実施の形態における他の温度測定装置の構成を示す構成図である。
【図７】図７は、本発明の実施の形態における他の温度測定方法を説明するフローチャートである。
【図８】図８は、異なる温度における光吸収の差を温度差で除した値と、波長との関係を示した特性図である。
【図９】図９は、グルコース濃度が既知の３つのサンプル（０ｇ／ｄＬ，１０ｇ／ｄＬ，１８．６ｇ／ｄＬ）を対象としたＯＰＢＳ法による測定を行った結果を示す特性図である。
【図１０】図１０は、温度が既知の３つのサンプル（３１℃，３２℃，３６℃）を対象としたＯＰＢＳ法による測定を行った結果を示す特性図である。
【発明を実施するための形態】
【００１２】
以下、本発明の実施の形態について図を参照して説明する。図１は、本発明の実施の形態における温度測定装置の構成を示す構成図である。この温度測定装置は、温度測定部１０１および温度導出部１０２を備える。
【００１３】
温度測定部１０１は、温度Ｔからなる未知パラメータを有する体表面より目的の深さの深部に対し、各々波長が異なる赤外域の波長λ１の第１光および赤外域の波長λ２の第２光を照射して光パワーバランスシフト（ＯＰＢＳ）法により測定結果を得る。ここで、第１光および第２光は、目的とする体表面からの深さで同じ水の光吸収係数となり、予め求められている赤外域の光の波長と体表面からの深さに依存する水の光吸収係数との関係より決定されたものである。なお、目的とする体表面からの深さで同じ水の光吸収係数となる波長の光の中で、温度依存性が最も高い第１光および第２光の組み合わせを決定すれば、より高感度な温度測定が実現できる。
【００１４】
また、温度導出部１０２は、予め測定されている血液（体液）の第１成分の濃度Ｃ１，血液の第２成分の濃度Ｃ２，および温度測定部の測定結果から、体表面より奥の設定された深部における温度を決定する。ここで、温度導出部１０２は、温度測定部による測定結果をＯＰＢＳ（λ１，λ２）としたとき、温度測定部の測定結果を表現する式「ＯＰＢＳ（λ１，λ２）＝Ｑ１Ｃ１＋Ｑ２Ｃ２＋ＱｔＴ」において体表面より目的の深さの温度である温度Ｔを決定する。なお、第１成分は、アルブミンであり、第２成分は、グルコースであればよい。
【００１５】
後述するように、ＯＰＢＳ法では、アルブミンおよびグルコースに限らず、血液（体液）中の他の様々な成分の濃度測定が可能である。ただし、血液中においては、グルコースおよびアルブミンが安定して存在しており、これらの濃度は安定して測定することができる。従って、第１成分としてアルブミンを選択し、第２成分としてグルコースを選択することで、より安定した測定が行えるようになる。
【００１６】
次に、実施の形態における温度測定装置の動作（温度測定方法）について、図２のフローチャートを用いて説明する。
【００１７】
まず、ステップＳ１０１で、予め求められている赤外域の光の波長と体表面からの深さに依存する水の光吸収係数との関係より、目的とする体表面からの深さで同じ水の光吸収係数となり、各々波長が異なる赤外域の波長λ１の第１光および赤外域の波長λ２の第２光を決定する（波長決定ステップ）。なお、前述したように、目的とする体表面からの深さで同じ水の光吸収係数となる波長の光の中で、温度依存性が最も高い第１光および第２光の組み合わせを用いるようにするとよい。
【００１８】
次に、ステップＳ１０２で、温度Ｔからなる未知パラメータを有する体表面より目的の深さの深部に対して第１光および第２光を照射してＯＰＢＳ法により測定結果を得る（温度測定ステップ）。
【００１９】
次に、ステップＳ１０３で、予め測定されている血液の第１成分の濃度Ｃ１，血液の第２成分の濃度Ｃ２，および温度測定ステップの測定結果から、体表面より奥の設定された深部における温度を決定する（温度導出ステップ）。ここでは、温度測定ステップの測定結果をＯＰＢＳ（λ１，λ２）としたとき、温度測定ステップの測定結果を表現する式「ＯＰＢＳ（λ１，λ２）＝Ｑ１Ｃ１＋Ｑ２Ｃ２＋ＱｔＴ」において体表面より目的の深さまでの温度Ｔ（平均温度）を決定する。
【００２０】
次に、ＯＰＢＳ法について、より詳細に説明する。ＯＰＢＳ法は、よく知られたＣＷ光を用いた光音響法の測定により血中のグルコース濃度を測定する技術として、発明者らにより開発されたものである（特許文献１参照）。同様の技術として、発明者らにより、周波数シフト（frequency shift：ＦＳ）法が開発されている（特許文献２参照）。
【００２１】
ＦＳ法、ＯＰＢＳ法は、血液グルコース濃度と血液アルブミン成分濃度測定に限るものではなく、被測定物に含まれる成分分析に幅広く適用可能であり、さらに温度依存性を利用して測定信号を処理することで、血液の成分濃度および温度を得ることができる。
【００２２】
ただし、原理的に、ＦＳ法とＯＰＢＳ法の温度依存性は異なる。ＦＳ法は音速を測る方法であり、成分濃度変化により音波の速度（音速）が変わることを利用している。しかしながら、成分濃度変化ではなく、温度変化でも音速が変わるので、ＦＳ法でも温度の測定が可能である。従って、光源と音響センサとの間にあるサンプルにおいて、生じた温度変化または成分濃度変化は、ＦＳ法でも測定可能である。
【００２３】
ＯＰＢＳ法では、音響法の測定において、光波長が異なり位相差がπの２つの光ビームのパワーを増減させながら、光音響信号の振幅が極小な箇所の位相の変曲点を探し、この結果から成分濃度や温度を求める。波長が異なる２つの光を用いたＯＰＢＳ法における測定結果を表現する式「ＯＰＢＳ（λ１，λ２）＝Ｃ１・Ｑ１（λ１，λ２）＋Ｃ２・Ｑ２（λ１，λ２）＋Ｔ・Ｑｔ（λ１，λ２）」では、光を照射した領域における血液の成分濃度Ｃ１，Ｃ２および温度Ｔが因子となっている。この中で、血液の２つの成分濃度が既知であれば、温度を求めることができる。
【００２４】
上述したように、ＯＰＢＳ法は、同時に２つの光照射による相対光吸収係数の測定である。成分濃度または温度が変化すると光吸収係数が変わるので、成分濃度または温度が測定できる。また、光吸収の変化は、温度に対しては敏感である。ここで、光吸収については、次のよう得な特徴がある。
【００２５】
まず、図３，図４に示すように、照射する赤外光の波長により光吸収が大きく変化する。ここで、図３，図４において、領域（ａ），領域（ｂ），領域（ｃ），領域（ｄ）は、測定対象における体表面（光源側）からの深さを示している。領域（ａ）は表面近傍であり、領域（ｂ）は比較的浅い領域であり、領域（ｃ）は中間的な深さの領域であり、領域（ｄ）はより深い領域を示している。図４に示すように、測定対象となる部位４０１を挟むように、光源４０２と音響センサ４０３とを配置する。また、部位４０１の一方の体表面４１１に光源４０２を載置し、他方の体表面４１２に接して音響センサ４０３を配置する。
【００２６】
図３，図４に示すように、波長１９２０ｎｍに近い赤外光は大きな光吸収を持つため、曲線４２１に示すように光パワーが減衰し、領域（ａ）にまでしか到達しない。また、波長２０００ｎｍ程度の赤外光は、曲線４２２に示すように光パワーが減衰し、領域（ｂ）と領域（ｃ）との間まで到達する。また、波長１０００ｎｍ付近の赤外光は、光吸収が小さいために、曲線４２３に示すように光パワーが減衰し、より深い領域（ｄ）にまで到達する。
【００２７】
また、ＯＰＢＳ法では、光が到達する領域の特性が測定可能であり、光が到達しない領域の特性は測定できない。例えば、上述したことから明らかなように、測定に用いる光の波長が１９２０ｎｍ付近の場合、体表面近傍の状態しか測定できない。これに対し、波長が１０００ｎｍ付近の光を測定に用いれば、体表面より深い部位の状態が測定できる。測定に用いる光は、深い所にまで到達する波長の光を用いることが重要となる。
【００２８】
次に、各々波長が異なる赤外域の波長λ１の第１光および赤外域の波長λ２の第２光の決定について、より詳細に説明する。ＯＰＢＳ法にとっては、波長が異なる２つの光が必要である。また、これら２つの光における水の光吸収係数が異なると、温度依存性が０になるため、これら２つの光は、水の光吸収係数が同じである必要がある。
【００２９】
ここで、図５に、光吸収係数が同じになる、レーザ光の波長と当該レーザ光が体表面より体内に入り込む（光が到達する）深さとの関係を示す。光が到達する深さは、水の光吸収係数の逆数に等しいものとしている。図５に示すように、例えば、深度６０ｍｍにおいては、光吸収係数が同じなる波長が、λ１，λ２，λ３と３つあることが分かる。この中で任意の２つの波長を用いればよい。
【００３０】
また、λ１，λ２，λ３の中で、温度依存性が最も高くなる２つの光の組み合わせを用いることで、より高い感度で温度を測定することができる。例えば、深度６０ｎｍにおいて光吸収係数が同じになる波長は、λ１＝約９３０ｎｍ，λ２＝約１０２０ｎｍ，λ３＝約１１３０ｎｍの３つである。従って、「波長９３０ｎｍの第１光と波長１０２０ｎｍの第２光の組」、「波長９３０ｎｍの第１光と波長１１３０ｎｍの第２光の組」、「波長１０２０ｎｍの第１光と波長１１３０ｎｍの第２光の組」の３つの組み合わせが考えられる。この３つの組み合わせについて温度依存性をシミュレーションし、最も温度依存性が高い組を選択すればよい。
【００３１】
前述したように、ＯＰＢＳ法は、血液成分である例えばグルコースとアルブミンの濃度測定に利用可能である。ＯＰＢＳ法では、選択した波長の光の光吸収係数で決まる深さまでの領域において、グルコース，アルブミンの濃度変化に加え、温度の変化も測定できる。これらについては、選択した波長の光の光吸収係数で決まる深さまでの領域における平均値が測定できる。
【００３２】
従って、所望とする体表面からの深さで、水の光吸収係数が同じになる２つの波長の赤外光を選択し、これら２つの光を用いたＯＰＢＳ法による測定で、既知である血液の２つの成分（アルブミン，グルコース）の濃度を用い、光吸収係数に依存する測定深さまでの測定結果から、温度を求めることができる。
【００３３】
例えば、互いに異なる波長の２波のレーザ光を同一周波数で逆位相の信号により、それぞれ強度変調して矩形波ビームを生成し、これらの矩形波ビームを合波した上で被測定物に照射すると、２つのレーザ光が、対応する光吸収係数αで被測定物に光吸収される。これによるＯＰＢＳ法の測定結果（血液の成分濃度、温度Ｔ）から、対象とする領域の温度を決定する。
【００３４】
また、光吸収係数が各々異なる状態で、上述した測定を複数回行うことで、深さ方向の温度の分布を得ることができる。上述したことから明らかなように、深さの選択は波長の選択により行え、波長を変化させることは自由に行えるので、深さの選択は自由に行える。なお、血液の成分濃度は、時間とともに変化するので、測定の時間間隔は、血液の成分濃度が変化しない範囲で短くすることが重要となる。言い換えれば、十分に短い時間間隔であれば、血液の成分濃度は一定として扱うことができる。
【００３５】
例えば、光源と音響センサの間に厚さ５ｃｍの肉があり、光吸収係数αが小さい波長の組み合わせを選べば、光は光ファイバー先端から音響センサまで到達し、サンプルにおける深さ５ｃｍの箇所の温度Ｔを測定することができる。また光吸収係数αが大きい波長の組み合わせを選べば、深さ方向に数ｍｍで光が吸収されるため、光源の光出射端からサンプルの深さ数ｍｍまでの温度が測定されることになる。
【００３６】
上述した本発明の温度測定により、例えば、乳癌（腫瘍）となり得る箇所の検出が可能となる。上述したように、光吸収係数が異なる複数の光の組を用いた複数の測定により、深さ方向の温度分布が得られる。
【００３７】
ＯＰＢＳ法により、光波長の組み合わせを変え、複数回（ｎ回）のサンプルまでの温度Ｔ1・・Ｔｎを繰り返し測定し、温度プロファイルから乳癌の腫瘍になる場所を検出する。以上の複数回測定を繰り返し、温度プロファイル（皮膚表面からの距離Ｄと温度Ｔ）が図れる。ここで、血液の成分濃度が深さで変わる理由がないため、一定していると仮定できる。このような温度分布の測定により、通常では、なだらかに温度が分布する状態が息災されるが、乳癌（もしくは乳癌となり得る細胞群）が存在していれば、この領域の温度分布の状態が、他の領域とは識別可能な状態で変化する。
【００３８】
上述した測定は、例えば、図６に示す測定装置を用いることで行える。この測定装置は、各々波長が異なるレーザ光を照射する複数のレーザを備えるアレイ光源６０１，アレイ光源６０１から出射されたレーザ光の光路を切り替える光路切り替え部６０２，光路切り替え部６０２に接続する複数の光ファイバーからなる光ファイバーアレイ６０３，および複数の音響センサからなるセンサアレイ６０４を備える。
【００３９】
光ファイバーアレイ６０３の各光ファイバーに対応し、センサアレイ６０４の音響センサが配置されている。また、光ファイバーアレイ６０３の光出射面とセンサアレイ６０４のセンサ面との間に、測定対象の部位６１０を配置する。また、少なくともセンサアレイ６０４は、センサ面を部位６１０の体表面に接触させて用いる。
【００４０】
この装置では、決定された波長のレーザをアレイ光源６０１の中で選択して動作させ、決定された波長のレーザ光を出力する。出力させた２つのレーザ光を光カプラなどにより合波した合波光を、光路切り替え部６０２により光路を切り替えて光ファイバーアレイ６０３の選択した箇所の光ファイバーに導く。また、センサアレイ６０４の中で、選択した光ファイバーの位置に対応する音響センサを選択し、選択した音響センサから出力される信号により、温度を導出する。
【００４１】
アレイ光源６０１により波長の組み合わせが選択でき、この組み合わせを変更して各々測定することで、体表面から深さ方向の温度分布が測定できる。また、光ファイバーアレイ６０３およびセンサアレイ６０４において、複数の光ファイバーおよび音響センサの対で測定を行うことで、平面方向の温度の分布が測定できる。これらの測定を組み合わせることで、３次元的な温度の分布が測定できる。このような温度分布の測定により、例えば、皮膚表面から体内の任意の指定深さ（距離）までの温度計測ができる。また温度変化の温度分布を分析することで、腫瘍（がん細胞）となり得る細胞を事前に特定することが可能となる。腫瘍となり得る細胞が存在する場合、他の部位より高い温度となるため、上述した温度分布の測定により、検知することができる。
【００４２】
ところで、上述した温度測定においては、ＦＳ法を組み合わせることでより正確な測定が可能となる。この測定方法について、図７のフローチャートを用いて説明する。まず、ステップＳ７０１で、予め求められている赤外域の光の波長と体表面からの深さに依存する水の光吸収係数との関係より、目的とする体表面からの深さで同じ水の光吸収係数となり、各々波長が異なる赤外域の波長λ１の第１光および赤外域の波長λ２の第２光を決定する。
【００４３】
次に、ステップＳ７０２で、決定された波長λ１の第１光を出射するレーザよりレーザ光を出射させ、音響センサより得られた信号よりＦＳ法により第１ＦＳ測定値を算出する。次いで、ステップＳ７０３で、決定された波長λ２の第２光を出射するレーザよりレーザ光を出射させ、音響センサより得られた信号よりＦＳ法により第２ＦＳ測定値を算出する。
【００４４】
次に、ステップＳ７０４で、第１ＦＳ測定値と第２ＦＳ測定値とが一致するかどうかを判定する。ＦＳ法では、波長が異なっても測定値は同じ結果となる。従って、光源となるレーザより設定値に等しい波長のレーザ光が出射されていれば、第１ＦＳ測定値と第２ＦＳ測定値とは一致する。言い換えると、第１ＦＳ測定値と第２ＦＳ測定値とが一致していない場合、光源となるレーザから、設定値からずれている波長のレーザ光が出射されていることになる。これらのことより、ステップＳ７０４の判断で、一致しない場合、ステップＳ７０５で、光源の調整を行い、ステップＳ７０２，ステップＳ７０３，ステップＳ７０４を繰り返す。
【００４５】
ステップＳ７０４の判断で一致した場合、ステップＳ７０６で、体表面より目的の深さの深部に対して第１光および第２光を照射してＯＰＢＳ法により測定結果を得る。次に、ステップＳ７０５で、予め測定されている血液の第１成分の濃度Ｃ１，血液の第２成分の濃度Ｃ２，および温度測定ステップの測定結果から、体表面より奥の設定された深部までの温度を決定する。
【００４６】
また、前述した温度分布を得るためには、ステップＳ７０１〜ステップＳ７０８を、測定対象の箇所の回数だけ繰り返して行えばよい。
【００４７】
次に、光吸収の温度依存性について図８を用いて説明する。図８は、異なる温度における光吸収の差を温度差で除した値と、波長との関係を示した特性図である。図８では、３２℃と２５℃，３６℃と２５℃，４０℃と２５℃，４６℃と２５℃について示している。図８から分かるように、温度差の大きさにより、光吸収の状態が異なっている。従って、光吸収の状態を把握することで、温度を求めることができることが分かる。
【００４８】
また、グルコース濃度が既知の３つのサンプル（０ｇ／ｄＬ，１０ｇ／ｄＬ，１８．６ｇ／ｄＬ）を対象としたＯＰＢＳ法による測定を行うと、図９に示すように、サンプル（異なる濃度）ごとに異なる振幅変化，位相変化が得られた。なお、点（三角，丸，四角）により振幅の変化を示し、実線により位相の変化を示している。
【００４９】
同様に、温度が既知の３つのサンプル（３１℃，３２℃，３６℃）を対象としたＯＰＢＳ法による測定を行うと、図１０に示すように、サンプル（異なる温度）ごとに異なる振幅変化，位相変化が得られた。なお、点（三角，丸，四角）により振幅の変化を示し、実線により位相の変化を示している。以上の結果からも明らかなように、実施の形態によれば、温度が測定可能である。
【００５０】
以上に説明したように、本発明では、目的とする体表面からの深さで同じ水の光吸収係数となり、各々波長が異なる赤外域の波長λ１の第１光および赤外域の波長λ２の第２光を用いたＯＰＢＳ法により、温度を求めるようにしたので、生体の体表面より奥の深部における温度が、非破壊で測定できるようになる。
【００５１】
なお、本発明は以上に説明した実施の形態に限定されるものではなく、本発明の技術的思想内で、当分野において通常の知識を有する者により、多くの変形および組み合わせが実施可能であることは明白である。
【符号の説明】
【００５２】
１０１…温度測定部、１０２…温度導出部。
【図１】
2014183894.tif 000003
【図２】
2014183894.tif 000004
【図３】
2014183894.tif 000005
【図４】
2014183894.tif 000006
【図５】
2014183894.tif 000007
【図６】
2014183894.tif 000008
【図７】
2014183894.tif 000009
【図８】
2014183894.tif 000010
【図９】
2014183894.tif 000011
【図１０】
2014183894.tif 000012